(57)【要約】【課題】フィラーパイプの入口部に取付けたフィラーカバーを容易に取り外すことが可能なフィラーカバーを提供する。【解決手段】フィラーカバー２０は、複数個に分割されて形成され、合体すると円弧状に形成され、一方のフィラーカバー当接面２４には、フィラーカバー係止片２３を形成し、他方のフィラーカバー当接面２４には、フィラーカバー係止穴２５が形成される。フィラーカバー係止片２３には、先端にフィラーカバー係止片段部２３ｃを形成し、フィラーカバー係止穴２５は、フィラーカバー係止穴工具差入れ窓２５ｂとフィラーカバー係止穴係止段部２５ｃを形成する。フィラーカバー係止穴工具差入れ窓２５ｂに工具を挿入して、フィラーカバー係止片段部２３ｃをフィラーカバー係止穴係止段部２５ｃから外し、フィラーカバー係止片２３をフィラーカバー係止穴２５から取り外すことを可能にした。【選択図】図１
2015221624.tif 000002
【特許請求の範囲】
【請求項１】
車体外面に形成された車体給油口から燃料タンクへ燃料を注入するフィラーパイプの入口部の外面に取付けるフィラーカバーにおいて、
該フィラーカバーは、複数個に分割されて形成され、合体するとフィラーパイプの入口部の外面を取り囲む円弧状に形成され、
上記複数個に分割して形成されたフィラーカバーが合体するときに互いに当接するフィラーカバー当接面は、一方の該フィラーカバー当接面には、フィラーカバー係止片を形成し、他方の上記フィラーカバー当接面には、上記フィラーカバー係止片が挿入されるフィラーカバー係止穴が形成され、
上記フィラーカバー係止片には、先端にフィラーカバー係止片段部を形成し、
上記フィラーカバー係止穴は、上記フィラーカバー係止片が進入するフィラーカバー係止穴入口部と、上記フィラーカバー係止穴の奥と連通しフィラーカバーの外面側に開口するフィラーカバー係止穴工具差入れ窓と、該フィラーカバー係止穴工具差入れ窓の上記フィラーカバー係止穴入口部側の側端にフィラーカバー係止穴係止段部を形成し、
上記フィラーカバー係止片を上記フィラーカバー係止穴に挿入し、上記フィラーカバー係止片段部を上記フィラーカバー係止穴係止段部に係合して、上記複数個に分割して形成されたフィラーカバーを合体させるとともに、上記フィラーカバー係止穴工具差入れ窓に工具を挿入して、上記フィラーカバー係止片段部を上記フィラーカバー係止穴係止段部から外し、上記フィラーカバー係止片を上記フィラーカバー係止穴から取り外すことを可能にしたことを特徴とするフィラーパイプの入口部の外面に取付けるフィラーカバー。
【請求項２】
互いに当接する上記フィラーカバー当接面は、一方の上記フィラーカバー当接面は、上部に上記フィラーカバー係止片が形成され、下部に上記フィラーカバー係止穴が形成され、他方の上記フィラーカバー当接面は、下部に上記フィラーカバー係止片が形成され、上部に上記フィラーカバー係止穴が形成され、互いに上記フィラーカバー係止穴に上記フィラーカバー係止片が挿入された請求項１に記載のフィラーカバー。
【請求項３】
互いに当接する上記フィラーカバー当接面は、一方の上記フィラーカバー当接面にフィラーカバーガイドピンを形成し、他方の上記フィラーカバー当接面に上記フィラーカバーガイドピンを挿入するフィラーカバーガイドピン穴を形成した請求項１又は請求項２に記載のフィラーカバー。
【請求項４】
上記フィラーカバーは、２個に分割して形成された請求項１乃至請求項３のいずれか一項に記載のフィラーカバー。
【請求項５】
上記フィラーカバーは、合成樹脂で形成された請求項１乃至請求項４のいずれか一項に記載のフィラーカバー。
【発明の詳細な説明】
【技術分野】
【０００１】
本発明は、給油口から自動車用燃料タンクへ燃料を注入するフィラーパイプの入口部に取付けるフィラーカバーに関する。
【背景技術】
【０００２】
図７に示すように、車体に設けられた車体給油口から自動車用燃料タンクへ燃料を注入するためにフィラーパイプ１１０が取付けられている。フィラーパイプ１１０の入口部１１２の外周に車体との間の緩衝部材又は保護部材としてフィラーカバー１２０が取付けられている。
【０００３】
フィラーパイプ１１０の燃料を注入する注入口１１１は外側に開くように広がっており、フィラーカバー１２０を取付ける入口部１１２よりも外径が大きく広がっているため、フィラーカバー１２０を円筒状に形成すると、フィラーパイプ１１０を燃料タンク（図示せず）に取付ける前に、予めフィラーカバー１２０をフィラーパイプ１１０の外面に取付ける必要がある。
【０００４】
しかしながらこの場合には、燃料タンクとフィラーパイプ１１０の取付作業が複雑となる。また、フィラーカバー１２０を２つに分割して形成した場合には、フィラーパイプ１１０を燃料タンクに取付けた後に、分割したフィラーカバー１２０を接合することが必要であるが、接合のためには、接着剤による接着や、熱溶着が考えられるが、工程が複雑となり、コストも増加する。
【０００５】
そこで、図８に示すように、フィラーカバー１２０を２つに分割して形成したフィラーカバー第１部材１２１とフィラーカバー第２部材１２２のそれぞれのフィラーカバー当接面１２４に、フィラーカバー係止片１２３とフィラーカバー係止穴１２５を対向するように形成し、フィラーカバー係止片１２３をフィラーカバー係止穴１２５に挿入して、フィラーカバー第１部材１２１とフィラーカバー第２部材１２２を合体させて、フィラーパイプ１１０の入口部１１２に取付けるものがある（例えば、特許文献１参照。）。
【０００６】
また、図９と図１０に示すように、フィラーカバー２２０を２つに分割して形成したフィラーカバー第１部材２２１とフィラーカバー第２部材２２２のそれぞれに係合部２２３と切欠き２２５を設け、切欠き２２５に規制部２２８を形成したものがある（例えば、特許文献２参照。）。
【０００７】
この場合は、係合部２２３を切欠き２２５に係合すると、切欠き２２５の架橋部２２９が係合部２２３を押圧するとともに、フィラーパイプ２１０の外面に規制部２２８が当接して、係合部２２３を保持して、係合部２２３が切欠き２２５から外れることを防止することができる。
【０００８】
しかしながら、上記いずれの場合でも、一旦分割して形成したフィラーカバー第１部材１２１、２２１とフィラーカバー第２部材１２２、２２２を合体させたのちは、修理や点検等の場合であっても、２つの部材を取り外すことが困難である。
【先行技術文献】
【特許文献】
【０００９】
【特許文献１】特開２００５−１９３８００号公報
【特許文献２】特開２０１１−９３３７１号公報
【発明の概要】
【発明が解決しようとする課題】
【００１０】
そこで本発明は、フィラーパイプの入口部に取付けたフィラーカバーを容易に取り外すことが可能なフィラーカバーを提供しようとするものである。
【課題を解決するための手段】
【００１１】
上記課題を解決するために請求項１の本発明は、車体外面に形成された車体給油口から燃料タンクへ燃料を注入するフィラーパイプの入口部の外面に取付けるフィラーカバーにおいて、
フィラーカバーは、複数個に分割されて形成され、合体するとフィラーパイプの入口部の外面を取り囲む円弧状に形成され、
複数個に分割して形成されたフィラーカバーが合体するときに互いに当接するフィラーカバー当接面は、一方のフィラーカバー当接面には、フィラーカバー係止片を形成し、他方のフィラーカバー当接面には、フィラーカバー係止片が挿入されるフィラーカバー係止穴が形成され、
フィラーカバー係止片には、先端にフィラーカバー係止片段部を形成し、
フィラーカバー係止穴は、フィラーカバー係止片が進入するフィラーカバー係止穴入口部と、フィラーカバー係止穴の奥と連通しフィラーカバーの外面側に開口するフィラーカバー係止穴工具差入れ窓と、フィラーカバー係止穴工具差入れ窓のフィラーカバー係止穴入口部側の側端にフィラーカバー係止穴係止段部を形成し、
フィラーカバー係止片をフィラーカバー係止穴に挿入し、フィラーカバー係止片段部をフィラーカバー係止穴係止段部に係合して、複数個に分割して形成されたフィラーカバーを合体させるとともに、フィラーカバー係止穴工具差入れ窓に工具を挿入して、フィラーカバー係止片段部をフィラーカバー係止穴係止段部から外し、フィラーカバー係止片をフィラーカバー係止穴から取り外すことを可能にしたことを特徴とするフィラーパイプの入口部の外面に取付けるフィラーカバーである。
【００１２】
請求項１の本発明では、車体外面に形成された車体給油口から燃料タンクへ燃料を注入するフィラーパイプの入口部の外面に取付けるフィラーカバーにおいて、フィラーカバーは、複数個に分割されて形成され、合体するとフィラーパイプの入口部の外面を取り囲む円弧状に形成されている。このため、複数個に分割されて形成されたフィラーカバーを合体させることで、燃料タンクに組付けたフィラーパイプの入口部に容易にフィラーカバーを取付けることができる。
【００１３】
複数個に分割して形成されたフィラーカバーが合体するときに互いに当接するフィラーカバー当接面は、一方のフィラーカバー当接面には、フィラーカバー係止片を形成し、他方のフィラーカバー当接面には、フィラーカバー係止片が挿入されるフィラーカバー係止穴が形成されている。このため、複数個に分割されて形成されたフィラーカバーを合体させるときに、フィラーカバー係止片をフィラーカバー係止穴に挿入することで、容易にフィラーカバーを合体させることができる。
【００１４】
フィラーカバー係止片には、先端にフィラーカバー係止片段部を形成し、フィラーカバー係止穴は、フィラーカバー係止片が進入するフィラーカバー係止穴入口部と、フィラーカバー係止穴の奥と連通しフィラーカバーの外面側に開口するフィラーカバー係止穴工具差入れ窓と、フィラーカバー係止穴工具差入れ窓のフィラーカバー係止穴入口部側の側端にフィラーカバー係止穴係止段部を形成している。このため、フィラーカバー係止穴係止段部にフィラーカバー係止片段部を係合することにより、分割して形成されたフィラーカバーを強固に係止することができる。
【００１５】
フィラーカバー係止片をフィラーカバー係止穴に挿入し、フィラーカバー係止片段部をフィラーカバー係止穴係止段部に係合して、複数個に分割して形成されたフィラーカバーを合体させるとともに、フィラーカバー係止穴工具差入れ窓に工具を挿入して、フィラーカバー係止片段部をフィラーカバー係止穴係止段部から外し、フィラーカバー係止片をフィラーカバー係止穴から取り外すことを可能にした。このため、フィラーカバー係止穴工具差入れ窓に工具を挿入することのみで、容易に分割して形成され合体した複数個のフィラーカバーを、再度分離させることができる。そのため、容易にフィラーカバーやフィラーパイプの入口部分の補修、点検をすることができる。
【００１６】
請求項２の本発明は、互いに当接するフィラーカバー当接面は、一方のフィラーカバー当接面は、上部にフィラーカバー係止片が形成され、下部にフィラーカバー係止穴が形成され、他方のフィラーカバー当接面は、下部にフィラーカバー係止片が形成され、上部にフィラーカバー係止穴が形成され、互いにフィラーカバー係止穴にフィラーカバー係止片が挿入されたフィラーカバーである。
【００１７】
請求項２の本発明では、互いに当接するフィラーカバー当接面は、一方のフィラーカバー当接面は、上部にフィラーカバー係止片が形成され、下部にフィラーカバー係止穴が形成され、他方のフィラーカバー当接面は、下部にフィラーカバー係止片が形成され、上部にフィラーカバー係止穴が形成され、互いにフィラーカバー係止穴にフィラーカバー係止片が挿入されている。このため、分割して形成されたフィラーカバーは、それぞれの当接面で、２個ずつのフィラーカバー係止片がフィラーカバー係止穴に送入され係止されるため、強固に係合されることができる。
【００１８】
請求項３の本発明は、互いに当接するフィラーカバー当接面は、一方のフィラーカバー当接面にフィラーカバーガイドピンを形成し、他方のフィラーカバー当接面にフィラーカバーガイドピンを挿入するフィラーカバーガイドピン穴を形成したフィラーカバーである。
【００１９】
請求項３の本発明では、互いに当接するフィラーカバー当接面は、一方のフィラーカバー当接面にフィラーカバーガイドピンを形成し、他方のフィラーカバー当接面にフィラーカバーガイドピンを挿入するフィラーカバーガイドピン穴を形成している。このため、分割して形成されたフィラーカバーを合体させるときに、まず、フィラーカバーガイドピンがフィラーカバーガイドピン穴に挿入されるため、相互の位置関係が明確になり、スムースにフィラーカバー係止片をフィラーカバー係止穴に挿入することができる。
【００２０】
請求項４の本発明は、フィラーカバーは、２個に分割して形成されたフィラーカバーである。
【００２１】
請求項４の本発明では、フィラーカバーは、２個に分割して形成されたため、部品点数が少なく、製造と、フィラーカバーをフィラーパイプの入口部に取付けることが容易である。
【００２２】
請求項５の本発明は、フィラーカバーは、合成樹脂で形成されたフィラーカバーである。
【００２３】
請求項５の本発明では、フィラーカバーは、合成樹脂で形成されたため、製造が容易であるとともに、重量を低減して、耐燃料油性に優れている。
【発明の効果】
【００２４】
複数個に分割して形成されたフィラーカバーを合体させるとともに、フィラーカバー係止穴工具差入れ窓に工具を挿入して、フィラーカバー係止片段部をフィラーカバー係止穴係止段部から外し、フィラーカバー係止片をフィラーカバー係止穴から取り外すことを可能にしたため、フィラーカバー係止穴工具差入れ窓に工具を挿入することのみで、容易に分割して形成され合体した複数個のフィラーカバーを、再度分離させることができる。
【図面の簡単な説明】
【００２５】
【図１】本発明の第１の実施の形態を示すもので、フィラーパイプの入口部にフィラーカバーを取付ける状態を示した部分の斜視図である。
【図２】本発明の第１の実施の形態を示すもので、分割して形成されたフィラーカバーの結合部分の部分拡大断面図である。
【図３】本発明の実施の第２の実施の形態を示すもので、分割して形成された一方のフィラーカバーの当接面の部分拡大断面図である。
【図４】本発明の実施の第２の実施の形態を示すもので、分割して形成された他方のフィラーカバーの当接面の部分拡大断面図である。
【図５】本発明の実施の第３の実施の形態を示すもので、分割して形成された一方のフィラーカバーの当接面の部分拡大断面図である。
【図６】本発明の実施の第３の実施の形態を示すもので、分割して形成された他方のフィラーカバーの当接面の部分拡大断面図である。
【図７】フィラーパイプの入口部にフィラーカバーを取付けた斜視図である。
【図８】従来のフィラーパイプの入口部にフィラーカバーを取付ける状態を示した部分の斜視図である。
【図９】従来の他のフィラーパイプの入口部にフィラーカバーを取付ける状態を示した部分の斜視図である。
【図１０】従来の他の分割して形成されたフィラーカバーの結合部分の部分拡大断面図である。
【発明を実施するための形態】
【００２６】
本発明は、自動車の車体に設けられた車体給油口から自動車用燃料タンクへ燃料を注入するフィラーパイプ１０の入口部１２の外面に取付けるフィラーカバー２０に関するものである。フィラーパイプ１０は、合成樹脂又は金属で形成されたいずれでも使用することができるが、フィラーカバー２０は合成樹脂で形成される。
【００２７】
図７に示すように、フィラーパイプ１０の先端部分は、車体外面に形成された車体給油口（図示せず）に取付けられている注入口１１と、注入口１１から円筒状に形成される入口部１２から形成される。入口部１２から若干奥は、フィラーパイプ１０の本体部１３となり、燃料タンク（図示せず）に連結され、給油ガン（図示せず）から注入された燃料を燃料タンク内に注入する。
【００２８】
フィラーカバー２０は、複数個に分割されて形成される。本実施の形態では、２個に分割して形成されるが、３個以上に分割して形成することもできる。
図１に示すように、合体したフィラーカバー２０は、円筒状に形成され、２個に分割して形成されたフィラーカバー第１部材２１とフィラーカバー第２部材２２を形成し、それぞれ半円弧状に形成される。
【００２９】
フィラーカバー第１部材２１とフィラーカバー第２部材２２を合体させると、フィラーパイプ１０の入口部１２を囲むことができる。このため、容易にフィラーパイプ１０にフィラーカバー２０を容易に取付けることができる。フィラーカバー２０は、フィラーパイプ１０の注入口１１が車体の給油口付近に取付けられると、車体との間の緩衝部材又は保護部材となることができる。
【００３０】
複数個に分割して形成されたフィラーカバー第１部材２１とフィラーカバー第２部材２２は、両者が合体するときに互いに当接するフィラーカバー当接面２４を有する。フィラーカバー当接面２４は、フィラーカバー第１部材２１とフィラーカバー第２部材２２のそれぞれの両端に形成される。
【００３１】
まず本願発明に第１の実施の形態について、図１と図２に基づき説明する。フィラーカバー第１部材２１の一方のフィラーカバー当接面２４には、フィラーカバー係止片２３が形成され、他方のフィラーカバー当接面２４にはフィラーカバー係止穴２５が形成される。フィラーカバー第２部材２２のフィラーカバー当接面２４の一方では、フィラーカバー第１部材２１のフィラーカバー係止片２３と対応する部分にフィラーカバー係止穴２５が形成される。同様に、フィラーカバー第２部材２２のフィラーカバー当接面２４の他方では、フィラーカバー第１部材２１のフィラーカバー係止穴２５と対応する部分にフィラーカバー係止片２３が形成されている。
【００３２】
このため、２個に分割されて形成されたフィラーカバー第１部材２１とフィラーカバー第２部材２２を合体させるときに、対向するフィラーカバー当接面２４のフィラーカバー係止片２３をフィラーカバー係止穴２５に挿入することで、容易にフィラーカバー第１部材２１とフィラーカバー第２部材２２を合体させることができる。
【００３３】
更にフィラーカバー第１部材２１のフィラーカバー係止片２３が形成されたフィラーカバー当接面２４のフィラーカバー係止片２３の上部にはフィラーカバーガイドピン穴２７が形成され、フィラーカバー係止片２３の下部にはフィラーカバーガイドピン２６が形成されている。フィラーカバー第２部材２２の対応するフィラーカバー当接面２４には、フィラーカバー係止穴２５の上部にはフィラーカバーガイドピン２６が形成され、下部にはフィラーカバーガイドピン穴２７が形成されている。
【００３４】
同様に、フィラーカバー第１部材２１のフィラーカバー係止穴２５が形成されたフィラーカバー当接面２４には、フィラーカバー係止穴２５の上部にはフィラーカバーガイドピン２６が形成され、下部にはフィラーカバーガイドピン穴２７が形成されている。このため、フィラーカバー第１部材２１とフィラーカバー第２部材２２を合体させるときに、まず、それぞれのフィラーカバーガイドピン２６が対応するフィラーカバーガイドピン穴２７に挿入されるため、相互の位置関係が明確になり、スムースにフィラーカバー係止片２３をフィラーカバー係止穴２５に挿入することができる。
【００３５】
本実施の第１の形態では、対応するフィラーカバー当接面２４の上下に１本ずつ形成されたため、対応するフィラーカバー当接面２４のフィラーカバー係止片２３が対応するフィラーカバー係止穴２５に確実に対向することができ、フィラーカバー係止片２３をフィラーカバー係止穴２５に挿入することが確実にできる。
【００３６】
図２に示すように、フィラーカバー第２部材２２のフィラーカバー当接面２４からフィラーカバー係止片２３が一体的に形成され、フィラーカバー係止片２３には、フィラーカバー当接面２４から延びるフィラーカバー係止片脚部２３ａと、フィラーカバー係止片脚部２３ａの先端に形成されるフィラーカバー係止片頭部２３ｂと、フィラーカバー係止片脚部２３ａとフィラーカバー係止片頭部２３ｂの境界にフィラーカバー係止片段部２３ｃを形成し、フィラーカバー係止片段部２３ｃは、フィラーカバー２０の外面側に形成されている。
【００３７】
フィラーカバー第１部材２１のフィラーカバー当接面２４には、フィラーカバー係止穴２５が形成され、フィラーカバー係止穴２５は、フィラーカバー係止片２３が進入するフィラーカバー係止穴入口部２５ａと、フィラーカバー係止穴２５の奥と連通しフィラーカバー２０の外面側に開口するフィラーカバー係止穴工具差入れ窓２５ｂと、フィラーカバー係止穴工具差入れ窓２５ｂのフィラーカバー係止穴入口部２５ａ側の側端にフィラーカバー係止穴係止段部２５ｃが形成されている。
【００３８】
フィラーカバー第１部材２１とフィラーカバー第２部材２２を合体させると、フィラーカバー係止穴２５にフィラーカバー係止片２３が挿入され、フィラーカバー係止穴係止段部２５ｃにフィラーカバー係止片段部２３ｃを係合することにより、強固にフィラーカバー第１部材２１とフィラーカバー第２部材２２を係止することができる。
【００３９】
点検や補修のために、フィラーカバー２０をフィラーパイプ１０の入口部１２から外す場合には、図２の矢印に示すように、フィラーカバー係止穴工具差入れ窓２５ｂに工具の先端を挿入して、フィラーカバー係止片頭部２３ｂを押して、フィラーカバー係止片段部２３ｃをフィラーカバー係止穴係止段部２５ｃから外し、フィラーカバー係止片２３をフィラーカバー係止穴２５から取り外すことができる。このため、フィラーカバー係止穴工具差入れ窓２５ｂに工具を挿入することのみで、合体したフィラーカバー第１部材２１とフィラーカバー第２部材２２を、再度分離させることができる。そのため、容易にフィラーカバー２０やフィラーパイプ１０の入口部１２の補修、点検をすることができる。
【００４０】
次に、図３と図４に基づき、本願発明の第２の実施の形態について説明する。本願発明の第２の実施の形態は、第１の実施の形態と比べて、１つのフィラーカバー当接面２４にフィラーカバー係止片２３とフィラーカバー係止穴２５が両方設けられており、フィラーカバーガイドピン２６とフィラーカバーガイドピン穴２７が中央に設けられている点が異なり、他の部分は同様であるため、異なる部分を説明し、同様な部分の説明は省略する。
【００４１】
本願発明の第２の実施の形態は、図３に示すように、フィラーカバー第１部材２１の一方のフィラーカバー当接面２４の下部にフィラーカバー係止片２３が形成され、上部にフィラーカバー係止穴２５が形成され、中央部にフィラーカバーガイドピン２６が形成されている。図４に示すように、対応するフィラーカバー第２部材２２の一方のフィラーカバー当接面２４の上部にフィラーカバー係止片２３が形成され、下部にフィラーカバー係止穴２５が形成され、中央部にフィラーカバーガイドピン穴２７が形成されている。
【００４２】
同様に、フィラーカバー第１部材２１の他方のフィラーカバー当接面２４の上部にフィラーカバー係止片２３が形成され、下部にフィラーカバー係止穴２５が形成され、中央部にフィラーカバーガイドピン穴２７が形成されている。対応するフィラーカバー第２部材２２の他方のフィラーカバー当接面２４の下部にフィラーカバー係止片２３が形成され、上部にフィラーカバー係止穴２５が形成され、中央部にフィラーカバーガイドピン２６が形成されている。
【００４３】
このため、２個に分割されて形成されたフィラーカバー第１部材２１とフィラーカバー第２部材２２を合体させるときに、両端の対向するフィラーカバー当接面２４は、それぞれ上下の２箇所でフィラーカバー係止片２３をフィラーカバー係止穴２５に相互に挿入することで、強固にフィラーカバー第１部材２１とフィラーカバー第２部材２２を合体させることができる。また、フィラーカバーガイドピン２６で対向するフィラーカバー当接面２４の位置関係を明確にすることができる。
【００４４】
次に、図５と図６に基づき、本願発明の第３の実施の形態について説明する。本願発明の第３の実施の形態は、第２の実施の形態と比べて、フィラーカバーガイドピン２６とフィラーカバーガイドピン穴２７がない点が異なり、他の部分は同様であるため、異なる部分を説明し、同様な部分の説明は省略する。
【００４５】
本願発明の第３の実施の形態は、図５に示すように、フィラーカバー第１部材２１の一方のフィラーカバー当接面２４の下部にフィラーカバー係止片２３が形成され、上部にフィラーカバー係止穴２５が形成されている。図６に示すように、対応するフィラーカバー第２部材２２の一方のフィラーカバー当接面２４の上部にフィラーカバー係止片２３が形成され、下部にフィラーカバー係止穴２５が形成されている。
【００４６】
同様に、フィラーカバー第１部材２１の他方のフィラーカバー当接面２４の上部にフィラーカバー係止片２３が形成され、下部にフィラーカバー係止穴２５が形成されている。対応するフィラーカバー第２部材２２の他方のフィラーカバー当接面２４の下部にフィラーカバー係止片２３が形成され、上部にフィラーカバー係止穴２５が形成されている。
【００４７】
このため、２個に分割されて形成されたフィラーカバー第１部材２１とフィラーカバー第２部材２２を合体させるときに、両端の対向するフィラーカバー当接面２４は、それぞれ上下の２箇所でフィラーカバー係止片２３をフィラーカバー係止穴２５に相互に挿入することで、強固にフィラーカバー第１部材２１とフィラーカバー第２部材２２を合体させることができる。フィラーカバーガイドピン２６とフィラーカバーガイドピン穴２７がないため、フィラーカバー係止片２３の幅を大きくすることができ、より強固に合体させることができる。
【符号の説明】
【００４８】
１０  フィラーパイプ
１２  入口部
２０  フィラーカバー
２３  フィラーカバー係止片
２３ｃ  フィラーカバー係止片段部
２４  フィラーカバー当接面
２５  フィラーカバー係止穴
２５ｃ  フィラーカバー係止穴係止段部
２６  フィラーカバーガイドピン
２７  フィラーカバーガイドピン穴
【図１】
2015221624.tif 000003
【図２】
2015221624.tif 000004
【図３】
2015221624.tif 000005
【図４】
2015221624.tif 000006
【図５】
2015221624.tif 000007
【図６】
2015221624.tif 000008
【図７】
2015221624.tif 000009
【図８】
2015221624.tif 000010
【図９】
2015221624.tif 000011
【図１０】
2015221624.tif 000012